(57)【特許請求の範囲】
【請求項１】
略三角形の平面形状を有する本体シートと、前記本体シートの頂点に連結された線材とを備える集水シートを、前記本体シートの底辺が頂点に対して高位置になるように、前記底辺を樹木又は柱状構造物に巻き回すとともに、前記線材を前記頂点から下方に垂下させて、
当該樹木又は柱状構造物の表面を伝って流れる雨水を前記頂点に導き、前記頂点から前記線材を伝って下方に流下させて、容器に導く集水方法。
【発明の詳細な説明】
【技術分野】
【０００１】
本発明は、野外で雨水を集水する集水シート及び該集水シートを用いる集水方法に関する。
【背景技術】
【０００２】
野外、例えば、山間の果樹園、畑、キャンプ場等において、雨水を飲料水あるいは雑用水等として利用するために、雨水を集水する器具が種々出願されている。
【０００３】
例えば、特許文献１には、雨水を集める樹脂製シートの上部に網目の細かいビニール製網を縫い込んだ簡易集水シートが開示されている。
【０００４】
特許文献２には、メッシュ地で形成されて、平面形において略二等辺三角形をなす集水シートが開示されている。
【０００５】
また、非特許文献１には、伊豆七島の三宅島や沖縄における伝統的な集水方法として「樹幹水」というものが紹介されている。「樹幹水」とは、木の幹に藁縄やクバ（ビロウ）の葉を縛り付けて、木の幹を伝わって流れる雨水を藁縄やクバの葉で受けて、樋や水瓶に導く集水方法である。
【先行技術文献】
【特許文献】
【０００６】
【特許文献１】登録実用新案第３０９２０２５号公報
【特許文献２】登録実用新案第３１４８９６７号公報
【非特許文献】
【０００７】
【非特許文献１】日本建築学会編「暮らしに生かす雨の建築術」２４ページ、技報堂出版（２０１０年）
【発明の概要】
【発明が解決しようとする課題】
【０００８】
特許文献１あるいは特許文献２に開示された集水シートを設置するに当たっては、４本（特許文献１）あるいは３本（特許文献２）の支柱を立設して、それらの支柱の間に集水シートを展張するので、手間が掛かると言う問題がある。集水シートを設置するためには、広い面積を必要すると言う問題もある。
【０００９】
非特許文献１の「樹幹水」は、木の幹を利用するので、支柱を設置する手間が掛からない。又、大きな面積を専有することもない。しかしながら、藁縄やクバの葉を木の幹に取り付けるのには、それなりの技量を必要とする。また、近時は、藁縄の入手は容易ではないし、クバの葉を入手できる地域は限られる。つまり、「樹幹水」は、誰でも、何処でも実施できるものではない。
【００１０】
本発明は、このような事情に鑑みて為されたものであり、大きな面積を専有しない、誰でも容易に設置できる集水シートを提供することを目的とする。また、設置場所に大きな面積が不要で、誰でも容易に実行できる集水方法を提供することを目的とする。
【課題を解決するための手段】
【００１１】
上記目的を達成するため、本発明に係る集水方法は、略三角形の平面形状を有する本体シートと、前記本体シートの頂点に連結された線材とを備える集水シートを、前記本体シートの底辺が頂点に対して高位置になるように、前記底辺を樹木又は柱状構造物に巻き回すとともに、前記線材を前記頂点から下方に垂下させて、当該樹木又は柱状構造物の表面を伝って流れる雨水を前記頂点に導き、前記頂点から前記線材を伝って下方に流下させて、容器に導くものである。
【００１２】
ここで、柱状構造物とは、野外にあって、その外周面を伝って雨水が流れる物体を言い、人工物、天然物の別を問わない。電柱等が柱状構造物の代表例である。
【発明の効果】
【００１８】
本発明に係る集水方法は、本体シートを樹木又は柱状構造物に巻き回すだけ実施できる。また、本発明に係る集水方法の実施に当たっては、特別な技量やコツを必要としない。したがって、設置場所に大きな面積が不要で、誰でも容易に実行することができる集水方法が提供される。
【図面の簡単な説明】
【００１９】
【図１】本発明の実施形態の一例を示す図であって、集水シートを樹木に設置した状態を示す図である。
【図２】集水シートを展開した状態を示す平面図である。
【図３】素材を折り畳んで、本体シートを形成する手順を示す図である。
【発明を実施するための形態】
【００２０】
以下、本発明を実施するための最良の形態を、図面を参照しながら説明する。
【００２１】
集水シート１は、図１に示すように、樹木の幹２あるいは枝３（以下、「幹２等」という）に巻回されて、幹２等を伝わって流れる雨水を集水する装置である。また、集水シート１は線材４を備える。線材４は集水シート１の下端から垂下して、容器５の中に入るようにセットされ、集水された雨水を容器５に導く。
【００２２】
なお、線材４は、例えば、ビニロン繊維を素材とする紐である。また、線材４を集水シート１に連結する手段は特に限定されない。例えば、線材４を集水シート１に縫いつけてもよいし、フックやクリップを介して、線材４を集水シート１に着脱自在に取り付けてもよい。
【００２３】
図２は、集水シート１を幹２等から取り外して、展開した状態を示す平面図である。図２に示すように、集水シート１は、本体シート６と帯部材７を備える。
【００２４】
本体シート６は、寒冷紗の生地を折り重ねて略三角形に成形したものであり、その結果、寒冷紗の生地が４枚重ねられている。ここで、説明の便宜のため、略三角形をなす本体シート６の輪郭において、図２において上方にある水平な辺ａｂを「底辺」と呼び、下方にある頂点ｃを単に「頂点」と呼ぶことにする。また「底辺」と「頂点」を結ぶ辺ａｃ、辺ｂｃを「斜辺」と呼ぶことにする。なお、本体シート６を折り重ねて成形する手順は後述する。
【００２５】
帯部材７は、本体シート６と同じ寒冷紗の生地を４つ折りにして帯状にしたものを２本重ねて（つまり、寒冷紗の生地を８枚重ねて）構成された部材である。また、帯部材７は、本体シート６の底辺から離れた位置（望ましくは、頂点に近い位置）に、本体シート６の底辺に平行に配置されて、本体シート６に縫い付けられている。また、本体シート６と帯部材７の間の結合はハトメ８で補強されている。
【００２６】
また、本体シート６の底辺と帯部材７は、樹木の幹２等に巻き回されて（図１参照）、集水シート１を幹２等に縛着する。そのために、本体シート６の底辺、及び帯部材７には面ファスナ９が縫い付けられていて、本体シート６の底辺と帯部材７を樹木の幹２等に巻き回した後、面ファスナ９を使って、それらの両端を連結する。
【００２７】
なお、本体シート６及び帯部材７の寸法は、取り付け対象の幹２等の大きさに応じて決定すればよい。例えば、本体シート６の底辺と帯部材７の長さは、取り付け対象の幹２等の周長に面ファスナ９の長さを加えて、決定される。
【００２８】
また、本体シート６には、底辺から頂点に向かう方向に、複数の導水片１０，１１，１２が配置され、縫い付けられている。すなわち、導水片１０は本体シート６の斜辺に平行に配置され、導水片１１は本体シート６の底辺の中点から頂点に向かって配置され、導水片１２は導水片１１に平行に配置されて、本体シート６の底辺から斜辺に向かっている。なお、導水片１０，１１，１２は、本体シート６と同じ寒冷紗の生地を４つ折りにしたものである。
【００２９】
また、本体シート６の頂点近傍には、補強片１３が重ねられて、縫い付けられている。補強片１３は、本体シート６と同じ寒冷紗の生地を２つ折りにして、三角形にしたものであり、補強片１３の頂点が本体シート６の頂点とほぼ重なるように配置される。
【００３０】
なお、集水シート１は本体シート６に対して、帯部材７、導水片１０，１１，１２、及び補強片１３を配置して、これらを縫い綴じて製造される。
【００３１】
また、本体シート６は図３に示す手順で、折り重ねられて成形される。すなわち、先ず、図３（ａ）に示すように、方形に裁断された素材（寒冷紗）を、折り線１４に沿って谷折し、更に折り線１５に沿って谷折（図３（ｂ））すると、図３（ｃ）に示すような形態になる。図３（ｄ）は、図３（ｃ）に示した形態を時計回りに９０°回転させた状態を示すが、これを折り線１６及び折り線１７に沿って谷折りすると、図３（ｅ）に示すような形態になる。これを折り線１８に沿って谷折りすると、本体シート６が完成する（図３（ｆ））。
【００３２】
さて、集水シート１の作用について説明する。本体シート６の底辺は、幹２等の全周に巻き回されている（図１参照）ので、幹２等の外表面を伝って流れる雨水は、全て本体シート６に吸収される。また、本体シート６は寒冷紗の生地を４枚重ねにしているので、雨水を十分に含むことができる。
【００３３】
また、本体シート６は、平面形において略三角形を成すと共に、該略三角形の底辺が上方になるよう設置されるので、本体シート６に吸収された雨水は、重力によって本体シート６の頂点に集まる。そして、頂点に集まった雨水は、線材４を伝わって容器５に導かれる（図１参照）。
【００３４】
また、本体シート６には、底辺から頂点に向かう方向に、複数の導水片１０，１１，１２が配置されていて、導水片１０，１１，１２が導水管に似た作用をするので、雨水が本体シート６の底辺から頂点に効率よく流れる。
【００３５】
また、前述したように、帯部材７は集水シート１を幹２等に縛着する機能を有するが、本体シート６の底辺で捕捉できなかった雨水を捕捉して、本体シート６の底辺に誘導する機能も有する。つまり、帯部材７を備えることによって、雨水の捕捉率が向上する。
【００３６】
また、補強片１３は本体シート６の頂点近傍を補強するとともに、頂点近傍に集められた雨水を一時的に保持して、本体シート６から雨水が零れるのを防ぐ。さらに、補強片１３は、雨水に混ざった異物（砂、枯葉の破片など）を捕捉して、異物の流出を防ぐトラップとしても機能する。
【００３７】
また、本体シート６及び帯部材７は面ファスナ９を備えるので、集水シート１の幹２等への着脱は、容易である。
【００３８】
最後に、集水シート１の素材、つまり寒冷紗について説明する。集水シート１の素材として使用する寒冷紗はビニロン繊維糸からなる目の粗いメッシュ状の織物である。ビニロンは親水性を有するので、雨水を担持するのに適している。また、寒冷紗を構成するビニロン繊維糸は撚りが弱く、毛羽（ほつれた繊維の一部）が網目の中に飛び出している。そのため、集水シート１に吸収された雨水は、網目の中に担持され、重力によって網目の中を流れる。なお、この寒冷紗の目合（公称値）は１．２４ｍｍである。目合を大きくすると、雨水は十分に保持されないし、逆に目合を小さくすると、雨水は流れにくくなる。
【００３９】
以上、本発明の具体的な実施形態を説明したが、上記実施形態は例示であって、本発明の技術的範囲は、上記実施形態によっては限定されない。本発明は特許請求の範囲に記載された技術的思想の限りにおいて、自由に、応用、変形、あるいは改良して実施することができる。
【００４０】
例えば、上記実施形態の説明において、メッシュ地の具体例として、ビニロン繊維糸からなる寒冷紗を例示したが、メッシュ地の原料はビニロンには限定されないし、メッシュ地は寒冷紗には限定されない。例えば、前述したように、集水シート１の素材は親水性を備えるのが望ましいので、綿や麻を原料にしてもよいし、その他の原料が適宜、選択されてもよい。また、寒冷紗はメッシュ地の例示であって、本発明の技術的範囲は寒冷紗を素材とするものには限定されない。要するに、雨水の担持と導水に適した素材と構造（例えば、目合や糸の太さ）を備えたメッシュ地を選択すればよい。
【００４１】
また、線材４の具体例として、ビニロン繊維を素材とする紐を例示したが、線材４の素材はビニロン繊維には限定されない。各種公知の繊維、例えばナイロン、ポリエステル、綿、麻を素材とすることもできる。あるいは、鋼索であってもよい。線材４の形態は「紐」には限定されない。例えば「鎖」であってもよい。また、線材４の太さは、予想される雨水の流量等に応じて適宜選択される。例えば、一般に「糸」と認識されるような細い線材４が選択される場合もある。
【００４２】
また、線材４に各種の付属品を備えてもよい。例えば線材４の先端を容器５に固定するアダプタを備えてもよい。あるいは、線材４の先端に重錘を取り付けてもよい。特に、線材４が、（金属素材と比べて）軽い繊維を素材とする紐や糸である場合に、線材４の先端に重錘を取り付けると、該重錘によって線材４に適度な張力が加わって、線材４が垂直に垂下するので都合がよい。
【００４３】
また、上記実施形態の説明において、集水シート１を樹木の幹２あるいは枝３に設置する例を示したが、集水シート１を設置する対象は樹木に限られない。野外にあって、集水シート１を巻回して取り付けられるような形状及び寸法を備えていて、その外周面を伝って雨水が流れる物体であれば、その物体に集水シート１を取り付けて雨水を集めることができる。かかる物体を総称して「柱状構造物」と呼ぶことにする。「柱状構造物」の代表例は電柱であるが、電柱には限定されない。また天然物、例えば岩石であっても、前記要件を満たせば「柱状構造物」に含まれる。
【００４４】
また、図１ないし図３は、あくまでも「概念図」であって、本発明の技術的範囲は、図示された形状や寸法によって限定されないことは言うまでもない。
【符号の説明】
【００４５】
１  集水シート
２  幹
３  枝
４  線材
５  容器
６  本体シート
７  帯部材
８  ハトメ
９  面ファスナ
１０，１１，１２  導水片
１３  補強片
１４〜１８  折り線
【図１】
0005766983.tif 000002
【図２】
0005766983.tif 000003
【図３】
0005766983.tif 000004